(57)【要約】【課題】  ユーザにとって非常に使い勝手の良い情報処理装置及び情報処理方法を提供する。【解決手段】  複数の機能（１０５，１０６）を有する情報処理装置において、情報を入力するためのキー入力部（１０１）と、キー入力部（１０１）から機能の切り替え指示がされた場合に、情報処理装置における当該機能の切り替えを行う機能切替部（１０４）と、機能切替部（１０４）による機能の切り替えに基づいてキー入力部（１０１）の表示を変更するキートップ表示変更部（１０３）とを備えるようにする。【選択図】  図１
2005339028.tif 000002
【特許請求の範囲】
【請求項１】
複数の機能を有する情報処理装置で用いる情報処理方法において、
情報を入力手段から入力する入力工程と、
前記入力工程で機能の切り替え指示がされた場合に、指示された機能に応じて前記入力手段の表示を変更する変更工程と
を含むことを特徴とする情報処理方法。
【請求項２】
前記入力手段からの入力に従って、前記各機能が動作することを特徴とする請求項１に記載の情報処理方法。
【請求項３】
前記入力工程で機能の切り替え指示がされた場合に、前記情報処理装置における当該機能の切り替えを行う機能切替工程を更に有し、
前記変更工程では、前記機能切替工程による機能の切り替えに基づいて前記入力手段の表示を変更することを特徴とする請求項１又は２に記載の情報処理方法。
【請求項４】
複数の機能を有する情報処理装置において、
情報を入力するための入力手段と、
前記入力手段から機能の切り替え指示がされた場合に、指示された機能に応じて前記入力手段の表示を変更する変更手段と
を有することを特徴とする情報処理装置。
【発明の詳細な説明】
【技術分野】
【０００１】
本発明は、電話、電卓、時計等の各機能を有する情報処理装置及び情報処理方法に関する。特に、携帯電話や据置電話におけるテンキーのトップ表示と機能との関連に係る情報処理装置及び情報処理方法に関する。
【背景技術】
【０００２】
従来、様々な機能を有する携帯電話や据置電話におけるテンキーのトップ表示は、電話機能に合わせて固定的に決められてしまっているのが一般的である。
【発明の開示】
【発明が解決しようとする課題】
【０００３】
しかしながら、従来の様々な機能を有する携帯電話や据置電話においては、テンキーのトップ表示が電話機能に合わせて固定的に決められているので、例えば電卓機能を使用する場合などでは、テンキーの並びが電話機能と電卓機能とで異なり、ユーザにとって非常に使い勝手が悪いという問題点が生じていた。
【０００４】
本発明は前述の問題点を解決するためになされたものであり、ユーザにとって非常に使い勝手の良い情報処理装置及び情報処理方法を提供することを目的とする。
【課題を解決するための手段】
【０００５】
前述した課題を解決するために本発明は、複数の機能を有する情報処理装置で用いる情報処理方法において、情報を入力手段から入力する入力工程と、前記入力工程で機能の切り替え指示がされた場合に、指示された機能に応じて前記入力手段の表示を変更する変更工程とを含むことを特徴とする情報処理方法等を提供する。
【発明の効果】
【０００６】
本発明によれば、様々な機能を有する情報処理装置及びその処理方法において、ユーザから任意の機能の切り替え指示がされた段階で、指示された機能に応じて入力手段の表示（テンキーのトップ表示）を変更するようにしたので、ユーザにとって非常に使い勝手の良い情報処理装置及びその処理方法を提供することができる。
【発明を実施するための最良の形態】
【０００７】
以下、添付の図面を参照しながら本発明の実施形態を説明する。
図１は、本発明の実施形態における情報処理装置の機能構成図である。
図１において、１０１は、情報処理装置において、操作者が各種情報を入力する為のキー入力部である。１０２は、キー入力部１０１における各キーのキートップに如何なる文字や数字を表示する為のキートップ表示部である。１０３は、情報処理装置が持っている各種機能に合わせて、キートップ表示部１０２の表示を切替えるキートップ切替部である。１０４は、操作者がキー入力部１０１から情報処理装置の機能切替を指示した場合に、情報処理装置が持っている各種機能を切替える機能切替部である。また、１０５及び１０６は、情報処理装置における各種機能を表わす。ここで、１０１〜１０６までの各構成は、操作者の操作に連動して動作するものである。
【０００８】
例えば、操作者がキー入力部１０１から機能切替を指示すると、情報処理装置は、指示された機能切替情報を機能切替部１０４に通達する。ここで、機能切替部１０４は、受け取った機能切替情報に基づいて、当該機能が正しく動作するように第１の機能１０５や第２の機能１０６を選択する。また、機能切替部１０４は、同時にキートップ切替部１０３に、今回選択された機能の情報を通達する。キートップ切替部１０３は、機能切替部１０４かた通達された情報をもとに、キートップ表示部１０２を用いて選択された機能に合うように、キー入力部１０１のキートップの表示を変更する。
【０００９】
次に、図２は、本発明の実施形態における情報処理装置の外観の一例を示した図である。ここでは、一例として携帯電話を用いる。
【００１０】
まず、図２において、２０１は、本実施形態における情報処理装置であり、２０２は、情報処理装置２０１における表示装置である。２０３は、情報処理装置２０１における機能切替ボタンであり、２０４は、情報入力用のボタンである。ここで、２０３及び２０４が、図１のキー入力部１０１に対応し、操作者が機能切替ボタン２０３を押下することによって、図１の機能切替部１０４が動作し、前述したように、情報処理装置の機能が切替わると同時に、選択された機能に合わせて情報入力用ボタン２０４のキートップの表示が変更される。
【００１１】
図３は、本発明の実施形態における情報処理装置のブロック構成図である。
図３において、３０１は、情報処理装置であり、図２の２０１に対応する。３０２は、情報処理装置３０１の全体の制御を司る中央演算装置（ＣＰＵ）であり、３０３は、ＣＰＵ３０２によって実行される制御プログラムを格納したメモリ（ＲＯＭ）である。３０４は、ＲＯＭ３０３に格納された制御プログラムを実行するにあたって、必要な情報を格納する書き換え可能なメモリ（ＲＡＭ）である。
【００１２】
ここで、ＣＰＵ３０２の制御プログラム内には、情報処理装置３０１の各種機能（図１の１０５、１０６に対応）を実行するプログラムや、図１のキートップ表示部１０２、１０３のキートップ切替部、機能切替部１０４等に対応するプログラムが格納されている。
３０５は、実際の各種ボタン（図２の２０３や２０４に対応）とＣＰＵ３０２を結ぶ為のキーＩ／Ｆであり、ＣＰＵ３０２から各ボタンのキートップの表示を指示したり、操作者のキー操作情報をＣＰＵ３０２に通達したりする。
【００１３】
３０６は、ＣＰＵ３０２からの指示に従って、キートップの表示を変更するボタン群（図２の２０４に対応）であり、３０７は、機能切替キー（図２の２０３に対応）である。
３０８は、情報処理装置における表示装置とＣＰＵ３０２を結ぶ為の表示装置Ｉ／Ｆであり、３０９は、実際の表示装置（図２の２０２に対応）である。また、３１０は、各種構成部を接続する内部バスである。
【００１４】
次に、図４は、本発明の実施形態における情報処理装置のボタン群におけるキートップ表示の一例を示した図である。
【００１５】
ここで、図４（Ａ）と図４（Ｂ）とは同一のボタンであるが、図４（Ａ）は情報処理装置の機能として電話機能が選択されている時のキートップを表わしたものであり、図４（Ｂ）は情報処理装置の機能として電卓機能が選択されている時のキートップを表わしたものである。
【００１６】
次に、図５は、本発明の実施形態における情報処理装置のにおける１つのボタン５０２のキートップを表わした図である。ここで、５０１は、例えば、小型のＬＥＤ等で構成される。
【００１７】
図５において、キートップ上の個々のＬＥＤ５０２の点滅を制御することによって、キートップ上に任意の文字や数字を表示することが可能となる。この機能を用いることにより、個々のボタンのキートップ表示を図４（Ａ）、図４（Ｂ）に示すように変更することが可能となる。
【００１８】
図６は、本発明の実施形態における情報処理装置のにおける１つのボタン５０２のキートップを表わした図である。この図６は、図５よりも簡易な構成として１つのボタンを構成した例であり、７セグのＬＥＤを用いた例を示したものである。７セグＬＥＤでは、＊や＃は表現できないが、数値だけのキートップの変更であれば図６に示した例でも適用可能である。
【００１９】
次に、本発明の概念を図７及び図８のフローチャートに従って説明する。
図７は、本発明の実施形態における情報処理方法の処理を示したフローチャートである。このフローチャートは、図３の情報処理装置３０１上で動作するプログラムでの処理であり、キー入力の処理を表わしたものである。
【００２０】
まず、情報処理装置３０１において、操作者から何らかのボタンが押下されるのを待つ（ステップＳ７０１）。
【００２１】
続いて、操作者から何らかのボタンが押下されると、何のキーが入力されたのかを判断する（ステップＳ７０２）。
【００２２】
ステップＳ７０２での判断の結果、機能切替キー（図３の３０７）が入力されたと判断された場合には、機能切替キーの押下に対応した当該機能に切り替える処理を行なう（ステップＳ７０３）。続いて、ステップＳ７０３で切り替えた機能に応じてキートップの表示を変更する（ステップＳ７０４）。その後、ステップＳ７０７に進む。
【００２３】
ステップＳ７０２での判断の結果、図４（Ａ）や図４（Ｂ）のようなテンキーが入力されたと判断された場合には、現在選択されている機能において、入力されたテンキーの情報に従って処理を行なう（ステップＳ７０５）。その後、ステップＳ７０７に進む。このステップＳ７０５の処理の詳細については、後述する図８のフローチャートで説明する。
【００２４】
ステップＳ７０２での判断の結果、その他のキーが入力されたと判断された場合には、その入力キーの情報に対応した処理を行なう（ステップＳ７０６）。その後、ステップＳ７０７に進む。
【００２５】
続いて、本フローチャートの処理を終了するか否かを判断する（ステップＳ７０７）。この判断の結果、本フローチャートの処理を終了しないと判断された場合には、ステップＳ７０１に戻る。一方、ステップＳ７０７の判断の結果、本フローチャートの処理を終了すると判断された場合には、終了の処理を行なう。
【００２６】
次に、図７のステップＳ７０５の処理について説明する。
図８は、図７のステップＳ７０５の処理を示したフローチャートである。
【００２７】
まず、現在、何の機能が選択されているかを判断する（ステップＳ８０１）。この判断の結果、図１に示した第１の機能１０５が選択されていると判断された場合には、ステップＳ８０２に進み、テンキーの入力位置から、当該機能におけるキー情報を得る（ステップＳ８０２）。
【００２８】
ここで、例えば図４（Ａ）と図４（Ｂ）のテンキーにおいて、左上端のボタンが押下された場合でも、各機能に対応するキートップの表示が図４（Ａ）の場合と図４（Ｂ）の場合では、キー情報が異なってくる。このとき、当該機能のキートップの表示が図４（Ａ）の場合ではキー情報が「１」となり、当該機能のキートップの表示が図４（Ｂ）の場合では、キー情報が「７」となる。
【００２９】
続いて、ステップＳ８０１で得られたキー情報に基づいて当該機能の処理を行ない、本フローチャートの処理を終了する（ステップＳ８０３）。
【００３０】
また、ステップＳ８０１の判断の結果、図１に示した第２の機能１０６が選択されていると判断された場合においても、前述した第１の機能１０５が選択された場合における処理（ステップＳ８０２、８０３）と同様の処理を行なって（図８ステップＳ８０４及びステップＳ８０５）、図８の処理を終了する。
【００３１】
本発明の実施形態においては、情報処理装置として携帯電話を例に挙げたが、本発明に係る情報処理装置は携帯電話のみならず一般の電話機にも適用可能である。更には、テンキーを有する複合機能装置、例えば、電卓・コピー機・ファクシミリ・プリンタ・携帯端末等々の如何なる機器に対しても、本発明は適用可能である。
【図面の簡単な説明】
【００３２】
【図１】本発明の実施形態における情報処理装置の機能構成図である。
【図２】本発明の実施形態における情報処理装置の外観の一例を示した図である。
【図３】本発明の実施形態における情報処理装置のブロック構成図である。
【図４】本発明の実施形態における情報処理装置のボタン群におけるキートップ表示の一例を示した図である。
【図５】本発明の実施形態における情報処理装置のにおける１つのボタンのキートップを表わした図である。
【図６】本発明の実施形態における情報処理装置のにおける１つのボタンのキートップを表わした図である。
【図７】本発明の実施形態における情報処理方法の処理を示したフローチャートである。
【図８】図７のステップＳ７０５の処理を示したフローチャートである。
【符号の説明】
【００３３】
１０１  キー入力部
１０２  キートップ表示部
１０３  キートップ切替部
１０４  機能切替部
１０５  第１の機能（部）
１０６  第２の機能（部）
【図１】
2005339028.tif 000003
【図２】
2005339028.tif 000004
【図３】
2005339028.tif 000005
【図４】
2005339028.tif 000006
【図５】
2005339028.tif 000007
【図６】
2005339028.tif 000008
【図７】
2005339028.tif 000009
【図８】
2005339028.tif 000010